【手続補正書】
【提出日】平成24年4月6日(2012.4.6)
【手続補正１】
【補正対象書類名】明細書
【補正対象項目名】００３１
【補正方法】変更
【補正の内容】
【００３１】
電流ゼロの基準値が指示回路２１０によって記憶された旨の通知を受けたタイミング制御回路２０２は、ステップＳ３において、データ信号変換回路３０に対し、表示モードと同様にフレーム期間毎に論理レベルが反転する信号Ｆrpを供給する一方、データ信号変換回路３０は、データ信号ｄsの電圧を、映像信号Ｖidにかかわらず、信号ＦrpがＨレベルであれば正極性の中間調電圧Ｖg（＋）とし、信号ＦrpがＬレベルであれば負極性の中間調電圧Ｖg（−）とする。
なお、タイミング制御回路２０２は、走査線駆動回路１３０に対して、すべての走査線１１２を選択させる制御、および、データ線駆動回路１４０に対して、データ信号ｄsを、すべてのデータ線１１４に一括して供給させる制御については、それぞれ継続して実行する。これにより、データ線駆動回路１４０によるデータ信号ｄ1〜ｄ1024は、図６の（ｂ）に示されるように、すべてデータ信号ｄsと同じとなり、信号ＦrpがＨレベルであるフレーム期間では電圧Ｖg（＋）となり、信号ＦrpがＬレベルであるフレーム期間では電圧Ｖg（−）となる。電圧Ｖg（＋）、Ｖg（−）は、白と黒の間の中間階調に相当する電圧であり、電圧Ｖcに対して対称の関係にある。
【手続補正２】
【補正対象書類名】明細書
【補正対象項目名】００３４
【補正方法】変更
【補正の内容】
【００３４】
同様に、制御回路２０の指示回路２１０は、ステップＳ５において次のようにして、画素電極１１８に電圧Ｖg（−）が印加される期間において、液晶素子１２０に定常的に流れる負電流の積分値を求める。すなわち、指示回路２１０は、同図に示されるように、信号ＦrpがＬレベルであるフレーム期間にわたって時系列的に入力したデジタルデータにより示される電流波形値（電圧波形値）から、電流ゼロの基準値（電圧値）で減算した負電流Ｉnを求めるとともに、当該電流を、信号ＦrpがＬレベルに変化して期間Ｔaだけ経過した時点から、信号ＦrpがＨレベルに変化するまでの期間にわたって積分する。
なお、ステップＳ４およびＳ５における電流積分期間の終了点については、フレーム期間の終了時としているが、期間Ｔaの終了点から、一定時間経過したタイミングであって、フレーム期間の終了時よりも手前となるタイミングとしてもよい。
【手続補正３】
【補正対象書類名】明細書
【補正対象項目名】００４１
【補正方法】変更
【補正の内容】
【００４１】
また、液晶素子１２０の１個に流れる電流は非常に小さいが、本実施形態では、すべての液晶素子１２０に流れる電流を総和した波形に基づいて積分値を求めているので、検出精度を向上させることができる。もちろん、すべての液晶素子１２０に電流を流す必要はなく、例えば、奇数行の走査線のみを選択して、半数の液晶素子１２０に流れる電流（または積分値）を求めるようにしてもよい。
なお、本実施形態では、簡易性および測定精度を優先させたので、積分値同士を比較したが、フレーム期間の開始点から期間Ｔa経過した時点において流れる電流は、コモン電極側の電気的な特性と画素電極側の電気的な特性との差を反映した電流である。このため、当該時点における電流Ｉp、Ｉnを検出・比較してもよい。
【手続補正４】
【補正対象書類名】明細書
【補正対象項目名】００５０
【補正方法】変更
【補正の内容】
【００５０】
なお、第２実施形態でも、検出調整モードにおいて、すべての液晶素子１２０に電流を流す必要はなく、例えば、奇数行の走査線のみを選択して、半数の液晶素子１２０に流れる電流（または積分値）を求めるようにしてもよい。
また、第２実施形態においても、積分値ではなく、当該時点における電流Ｉp、Ｉnを検出・比較してもよい。ここで、正電流Ｉpが負電流Ｉnよりも絶対値でみて大きければ、正極性の電圧を保持する期間Ｐを短くするように（負極性の電圧を保持する期間Ｎを長くする）制御し、反対に、正電流Ｉpが負電流Ｉnよりも絶対値でみて小さければ、期間Ｐを長くするように（期間Ｎを短くする）制御すればよい。
【手続補正５】
【補正対象書類名】明細書
【補正対象項目名】００５２
【補正方法】変更
【補正の内容】
【００５２】
第３実施形態では、図１２に示されるように、素子基板１００ａの対向面であって、表示領域１０１の外側には矩形形状の第１電極１１９が設けられ、対向基板１００ｂには、第１電極１１９に対向するように第２電極１０９が設けられる。
このため、第１電極１１９と第２電極１０９とで液晶１０５を挟持する点において、画素電極１１８とコモン電極１０８とで液晶１０５を挟持する液晶素子１２０と同様である。ただし、第１電極１１９と第２電極１０９とで液晶１０５を挟持する液晶素子は、表示領域１０１の外側にあるため、視認されることはない。
【手続補正６】
【補正対象書類名】明細書
【補正対象項目名】００５３
【補正方法】変更
【補正の内容】
【００５３】
第３実施形態では、電極駆動回路１４２が、タイミング制御回路２０２による制御信号Ｄにしたがって、第１実施形態の検出調整モードにおけるデータ信号ｄsと同様な信号を第１電極１１９に供給する。また、コモン電極駆動回路４０は、コモン電圧Ｖcomを、途中で分岐する２つの信号線のうち、一方の信号線を介してコモン電極１０８に印加し、他方の信号線１０７を介して第２電極１０９に印加する構成となっている。抵抗素子Ｒは、コモン電圧Ｖcomを第２電極１０９に給電する信号線１０７に介挿されている。
また、図１２に示される例にあっては、表示領域１０１の内側にある液晶素子１２０については表示モードとし、表示領域１０１の外側にある液晶素子１２０については検出調整モードとして駆動する。検出回路２５によって検出された正電流の積分値と、負電流の積分値とが閾値となるように、指示回路２１０が、コモン電極１０８に対してコモン電圧Ｖcomの上昇または下降を指示する。したがって、この図１２の例では、電極駆動回路１４２およびコモン電極駆動回路４０が、第１電極１１９と第２電極１０９とで液晶１０５を挟持する液晶素子の駆動回路となる。
なお、第３実施形態では、第２実施形態のように、検出された正電流の積分値と、負電流の積分値とが閾値以内となるように、指示回路２１０が、タイミング制御回路２０２に対して、表示領域１０１の内側にある液晶素子１２０における期間Ｐと期間Ｎとの割合の増減を指示する構成であってもよい。
【手続補正７】
【補正対象書類名】明細書
【補正対象項目名】００５４
【補正方法】変更
【補正の内容】
【００５４】
第３実施形態では、電流を検出するための液晶素子を、表示領域１０１における液晶素子１２０とは別個に構成したので、表示領域１０１における液晶素子１２０に対し、映像信号Ｖidに基づく表示動作を行わせつつ、第１電極１１９と第２電極１０９とで液晶１０５を挟持する液晶素子に対し、電流を検出するための動作を並行して行わせることが可能である。
すなわち、第３実施形態では、表示領域１０１の内側における液晶素子１２０が表示モードで駆動されていても、表示領域１０１の外側における液晶素子１２０を検出調整モードで駆動することができる。
したがって、第３実施形態では、受光素子を用いることなく、液晶１０５への直流成分の印加を抑えてフリッカー成分を低減することができるという効果を、視認される画像に影響を与えることなく達成することが可能となる。
【手続補正８】
【補正対象書類名】明細書
【補正対象項目名】００５７
【補正方法】変更
【補正の内容】
【００５７】
このプロジェクター２１００では、パネル１００を含む液晶表示装置が、Ｒ色、Ｇ色、Ｂ色のそれぞれに対応して３組設けられる。ライトバルブ１００Ｒ、１００Ｇおよび１００Ｂの構成は、上述したパネル１００と同様であるが、Ｒ色、Ｇ色、Ｂ色のそれぞれの原色成分に対応する映像信号がそれぞれ外部上位回路から供給されて、ライトバルブ１００Ｒ、１００Ｇおよび１００Ｂがそれぞれ駆動される構成となっている。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各原色の画像が合成された後、スクリーン２１２０には、投射レンズ２１１４によってカラー画像が投射されることとなる。